(57)【要約】【課題】空気調和機やカーエアコン、冷蔵庫などから冷媒ガスを回収する冷媒回収装置の回収運転性能を簡単な構成で検証判断することができる冷媒回収装置の試験装置を提供する。【解決手段】タンク部２１には内部圧力を検知する圧力センサ２７を備えるとともに制御部３０にはタイマを具備し、タンク部２１に所定量の冷媒ガスを封入したあと運転スイッチ２９のＯＮとともに計時を開始して試験を開始し、所定時間内ｔ１で所定圧力Ｐ１までタンク内の圧力が低下するかどうかを確認して冷媒回収装置の健全性を判断するよう構成されている。【選択図】  図１
2005003306.tif 000002
【特許請求の範囲】
【請求項１】
冷媒ガスを貯留するタンク部と、冷媒回収装置の冷媒回収口に接続する接続ポートと、前記タンク部と前記接続ポートとを連通させる管路を開閉する開閉手段と、前記タンク部の内圧を検知する圧力検知手段と、計時手段とを有することを特徴とする冷媒回収装置の試験装置。
【請求項２】
タンク部と前記接続ポートとを連通させる管路には減圧手段も介装されていることを特徴とする請求項１記載の冷媒回収装置の試験装置。
【請求項３】
減圧手段は流量可変に設定できることを特徴とする請求項２記載の冷媒回収装置の試験装置。
【請求項４】
計時手段は開閉手段を開とした時点から所定時間を計時し、この所定時間後に圧力検知手段で検知された圧力が所定値以上であれば警告を発することを特徴とする請求項１から３のいずれか一項に記載の冷媒回収装置の試験装置。
【請求項５】
計時手段は開閉手段を開とした時点から圧力検知手段で検知された圧力が所定値まで低下するまでの時間を計時し、この計時された時間が所定値以上であれば警告を発することを特徴とする請求項１から３のいずれか一項に記載の冷媒回収装置の試験装置。
【発明の詳細な説明】
【０００１】
【発明の属する技術分野】
本発明は空気調和機やカークーラーなどから冷媒ガスを回収する冷媒回収装置の運転能力を試験する冷媒回収装置の試験装置に関するものである。
【０００２】
【従来の技術】
従来、冷媒回収装置は例えば特許文献１に開示されているように、圧縮機を起動して空気調和機やカークーラーなどの被冷媒回収機器から冷媒ガスを回収するものがある。
【０００３】
図３を用いて、特許文献１に記載された従来の冷媒回収装置の構成概要を示す。同図において、９ａは冷媒ガスが貯留されている空気調和機の室外ユニット（被冷媒回収機器）で、接続ホース１０ａを介して冷媒回収装置Ａの吸入ポート５に接続されている。一方、冷媒回収装置Ａは吸入ポート５から蒸発器６、気化タンク７、オイル分離器８、アキュームレータ９、圧縮機１、凝縮器１３、逆止弁１２、吐出ポート１４を介して冷媒ガスの回収容器４が順に連通して構成されており、圧縮機１の駆動によって空気調和機の室外ユニット９ａから貯留している冷媒ガスを吸引し、凝縮させて極力液状で回収容器４に封入するようにされている。細部については、オイル分離器８で分離された油分を取り出すときに開閉する開閉弁１６を具備している。更には、室外ユニット側の冷媒ガスの圧力を検知する圧力センサ３を具備し、その圧力に応じて制御手段２０により圧縮機１の運転を制御するように構成されている。
【０００４】
【特許文献１】
特開平８−１８９７７３号公報
【０００５】
【発明が解決しようとする課題】
このような冷媒回収装置では、冷媒回収運転を繰り返すことにより、圧縮機１の圧縮機構が磨耗したり、異物やスラッジの吸い込みにより回収冷媒の通路が閉塞しかけるようなことが起こりうる。そうすれば、冷媒回収装置自体の回収性能が徐々に低下し、所定の冷媒量を回収するのに必要以上に回収時間を要したり、時間をかけても冷媒回収が進まないようになる可能性がある。
【０００６】
本発明は、上記のような課題を解決するものであり、冷媒回収装置の回収能力を簡単な構成で試験し、装置の不具合を容易に発見することができる冷媒回収装置の試験装置を提供することを目的とする。
【０００７】
【課題を解決するための手段】
上記従来の課題を解決するために、本発明の冷媒回収装置の試験装置は、冷媒ガスを貯留するタンク部と、冷媒回収装置の冷媒回収口に接続する接続ポートと、前記タンク部と前記接続ポートとを連通させる管路を開閉する開閉手段と、前記タンク部の内圧を検知する圧力検知手段と、計時手段とを有することを特徴とするものである。
【０００８】
【発明の実施の形態】
本願発明の冷媒回収装置の試験装置は、冷媒ガスを貯留するタンク部と、冷媒回収装置の冷媒回収口に接続する接続ポートと、前記タンク部と前記接続ポートとを連通させる管路を開閉する開閉手段と、前記タンク部の内圧を検知する圧力検知手段と、計時手段とを有することを特徴とする。
【０００９】
このとき計時手段は開閉手段を開とした時点から所定時間を計時し、この所定時間後に圧力検知手段で検知された圧力が所定値以上であれば警告を発するようにしてもよいし、計時手段は開閉手段を開とした時点から圧力検知手段で検知された圧力が所定値まで低下するまでの時間を計時し、この計時された時間が所定値以上であれば警告を発するようにしてもよい。
【００１０】
ここで警告とは、ユーザに対して音、光などの手段を用いて冷媒回収装置の回収運転性能が所定のレベルを保っているかどうかについて表示できればよく、また遠隔地に対して通信手段を介して送信して表示するようにすることも効果的である。
【００１１】
これにより、タンク部に貯留された所定量のサンプル冷媒ガスを試験対象の冷媒回収装置に回収させて、たとえば回収開始からの時間を計時するとともに回収時のタンク内圧力を検知することで所定時間内に所定圧まで回収できたかを確認したりすることで、容易に冷媒回収装置の健全性を確認することができる。
【００１２】
また本願発明の冷媒回収装置の試験装置は、タンク部と前記接続ポートとを連通させる管路には減圧手段も介装されていることを特徴とする。この減圧手段はキャピラリチューブのような流量固定型のものでもよく、試験する冷媒回収装置の回収容量や、対象とする被冷媒回収機器の使用に応じて取り替えるようにすれば尚好適である。これは被冷媒回収装置から冷媒を吸引する時の状態に近づける作用もあり、より現物に則った試験を行うことができる。なお、この減圧手段は流量可変に調整できるのものを用いるようにすれば、試験対象や条件設定によって減圧手段を付け替えることを必要とせず、好適である。
【００１３】
以下、図面を用いて本発明の実施の形態について説明する。なお、従来の技術の説明で用いた図３の構成要素及びその作用について同様であるものは、同一の図番を付してその詳細な説明は省略する。
【００１４】
図１は本発明の実施の形態における冷媒回収装置の試験装置の構成模式図である。まず、試験装置の構成について同図を用いて説明する。試験装置Ｂは回収試験用の冷媒ガスを貯留するタンク部２１と、タンク部のから貯留する試験用冷媒ガスを導出する管路２２ａに開閉弁２３、減圧手段であるキャピラリチューブ２４を連通させ、コネクタ２５ａを介して冷媒回収装置Ａの接続ポート５と接続ホース１０ｄにより接続するように構成されている。ここで、図１ではタンク部のから貯留する試験用冷媒ガスを導出する管路２２ａはタンクの下方部に取り付けられているが、実際の空気調和機等からの冷媒吸引の状況に合わせて側方に設けるようにしてもよい。
【００１５】
一方、タンク部２１には内部に貯留する試験冷媒の貯留量を検知する貯留量検知手段２６、タンク部２１内部の圧力を検知する圧力センサ２７、タンク部またはタンク部の配置されている環境温度を検知する温度センサ２８、タイマを備えるとともに圧力センサ２７、温度センサ２８、試験運転スイッチ２９からの信号を受け、開閉弁２３の開閉制御を行うとともに、冷媒回収装置の回収運転性能の良否を判断する制御部３０を備えている。
【００１６】
また、冷媒ボンベ３１から試験用の冷媒を充填できるようにコネクタ２５ｂ、逆止弁３２、開閉弁３３も具備している。
【００１７】
次に以上の構成の試験装置を用いて試験対象の冷媒回収装置の回収運転能力の良否を判断する手順について説明する。
【００１８】
まず、冷媒ボンベ３１から試験用冷媒ガスをタンク部２１にチャージする。タンク部は予め真空ポンプで排気され減圧状態にしておくと好適である。冷媒ボンベからは液状態の冷媒を送り込み、貯留量検知手段２６により所定量の冷媒貯留を検知したら制御部３０により開閉弁３３を閉操作する。なお、この実施の形態では貯留量検知手段２６は水位検知を行うセンサのようなものを例に挙げて説明しているが、要するにタンク内に所定量の冷媒ガスが貯留できればよく、より簡便にはタンク部の冷媒貯留量を目視で確認できるように硬質ガラスなどで構成されたガラス管液面計を配置するとともに、開閉弁３３は手動式のものとして構成してもよい。
【００１９】
次に、コネクタ２５ａから冷媒回収装置Ａの接続ポート５に接続ホース１０ｄにて冷媒ガスが流れるように接続する。そして冷媒回収装置を運転するとともに、運転スイッチ２９をＯＮにして試験を開始する。運転スイッチ２９をＯＮにするとともに開閉弁２３が開状態になり、制御部のタイマが計時を開始する。
【００２０】
そして試験装置の健全性の第１の判定手順としては、図２（ａ）に示されるように、計時開始から所定時間ｔ１までのタンク部２１内の圧力変化を圧力センサ２７により検知し、初圧Ｐ０からの圧力減衰状況を確認する。ここで所定時間ｔ１になっても、同図点線で示されるようにタンク部内部圧力が回収完了圧力Ｐ１以下にならなければ、冷媒回収装置の回収運転能力に問題があると判断され、圧縮機１の不具合や途中経路の閉塞・ガス漏れ、などが懸念される。一方、同図実線のように所定時間ｔ１までに回収完了圧力Ｐ１以下に達すれば回収性能を「良」と判断して、例えば図示はしないが青ランプを点灯させるなどしてもよい。
【００２１】
また、試験装置の健全性の第２の判定手順としては、図２（ｂ）に示されるように、計時開始から回収完了圧力Ｐ１に達するまでの時間ｔ２を計時して、これが所定時間ｔ１以内かどうかで冷媒回収装置の健全性を判断するようにする。ｔ２＜ｔ１であれば冷媒回収装置の健全性は「良」であり、ｔ１を越えれば「劣化」と判断して警告する。また、判定最終時間ｔ３になっても圧力がＰ１を下回らなければ「異常」と判断して冷媒回収装置の異常のレベルも合わせて警告する。
【００２２】
なお、回収時間完了時間ｔ１は温度センサ２８で検知された温度に応じて補正されるようにしてもよい。試験装置の環境温度が低ければ冷媒ガスの蒸発速度も遅く、環境温度が高い場合に比べて回収時間が遅くなることが予想されるため、温度条件も加味して冷媒回収装置の健全性を確認できるため、健全性の誤判断を極力少なくすることができる。
【００２３】
また、所定時間ｔ１の設定ができるように減圧手段２４を設けている。即ちタンク部内の冷媒ガスが一気に冷媒回収装置に回収されないようにしつつ、より実機に近い形で徐々に放出するように構成することで、実際の回収時間を想定し、その時間内に所定の回収作業を行うことができる可動かをみつようにするためである。ここで減圧手段２４の選定または減圧度の調整の設定であるが、例えば冷媒回収装置のガス回収対象機器を空気調和機（室外機）にするのか、カーエアコンにするのか、など機器を想定して設定するようにしてもよい。減圧度は大きすぎても、また小さすぎても上記回収時間にばらつきができるので、予め対象に応じて適切なものを選定しておく。流量可変の減圧手段の場合には、その減圧度に設定すればよいだけであるのはいうまでもない。
【００２４】
【発明の効果】
以上のように、本願発明の冷媒回収装置の試験装置によれば、簡単な構成で冷媒回収装置の回収運転性能の状態を試験することができ、日常的に用いることで容易に冷媒回収装置の回収性能の劣化を判断でき、回収不良などの不具合を未然に防止することができる。
【図面の簡単な説明】
【図１】本発明の実施の形態における冷媒回収装置の試験装置の構成模式図
【図２】本発明の実施の形態における冷媒回収装置の試験装置での回収経過を示す概念図
【図３】従来の冷媒回収装置の構成模式図
【符号の説明】
Ａ  冷媒回収装置
Ｂ  試験装置
１  圧縮機（駆動手段）
５  接続ポート（接続部）
９ａ  室外ユニット
２１  タンク部
２３  開閉弁
２４  減圧手段
２７  圧力センサ
２８  温度センサ
３０  制御部
【図１】
2005003306.tif 000003
【図２】
2005003306.tif 000004
【図３】
2005003306.tif 000005